Podtech/llm-jp-corpus-v4-ja_patent huggingface dataset:
(57)【要約】      （修正有）【課題】外耳に近接して頭部に装着して用いる補聴具を提供する。【解決手段】正面視略長方形で平面視略半円形の所定厚軟質合成樹脂による集音体１の一方の長辺には略円弧形の切除部が形成され、この切除部に保護体が挿入固着される。この保護体は、軟質合成樹脂による所定長の管体であって、その側面に一方の管端から他方の管端に至る切り込みが設けられ、この切り込み個所に、前記切除部端が挿入して固着される。調整バンド４は、２本の装着部が互いにスライド可能に組み合わさって形成される。前記の集音体の切除部上方には孔が穿設され、また装着部下端近傍にも同径の孔が穿設され、この孔を介してビス７とナット８にて装着部と集音体は固定される。この集音体は２個１組が用いられ、調整バンド下端に集音体が各々固定される。【選択図】図３
0003176915.tif 000002
【実用新案登録請求の範囲】
【請求項１】
長さ調整可能なる弧状の調整バンドを設け、湾曲板体よりなる一組の集音体を設けて、該集音体をバンド下端にその湾曲方向をそろえて各々取り付けたことを特徴とする補聴具。
【請求項２】
集音体側面に切除部を設け、この切除部に柔軟性素材による保護体を設けてなる請求項１記載の補聴具。
【考案の詳細な説明】
【技術分野】
【０００１】  この考案は、外耳に近接して頭部に装着して用いる補聴具に関する。
【背景技術】
【０００２】  従来より、補聴器が多用されているが、本案にて示すように、外耳近傍に装着して用いるタイプの補聴具は見あたらない。
【考案の概要】
【考案が解決しようとする課題】
【０００３】  人間の聴力を補うものとしては、補聴器が多く利用されてきた。この補聴器は電気機器であって、マイクにて拾った音を電気的に増幅して鼓膜に伝えるものであり、電池からの電力にて作動する。
この補聴器には、耳穴型、耳掛け型、ポケット型などの種類があり、それぞれの特徴がある。耳穴型は、小型軽量で耳穴に挿入して使用するもので、目立たない利点があるが補聴器自体が小さいので、操作や取り外しが難しく、耳穴を塞ぐので圧迫感が発生する。
耳掛け型は、操作しやすいが汗で濡れやすく、髪が短いと隠すことができない。
ポケット型は、大きいので操作も簡単であるが、目立つこととコードがじゃまになる欠点がある。また、以上の補聴器は電池作動であり、電池交換や充電が必須である上に、それなりに高価であるという問題がある。
本案は以上に鑑み、無電力にて使うことができ、その扱いも容易なる新規かつ有用なる補聴具を提供することを目的として発案されたものである。
【課題を解決するための手段】
【０００４】  課題を解決する手段として本案は以下の構成とした。
すなわち、長さ調整可能なる弧状の調整バンドを設け、湾曲板体よりなる一組の集音体を設けて、該集音体をバンド下端にその湾曲方向をそろえて各々取り付ける。
本案は以上の構成よりなる補聴具である。
【考案の効果】
【０００５】  本案によれば、外耳近傍に集音体が、その凹部を前面に向けて各々位置するので、集音効果が発揮され、聴力増強に効果的なる用具を提供することができる。また、電力を用いないので、省エネルギー物品であって、その操作も容易かつ安価に製作できるなど、種々の利点を有する有用なる物品を得ることができる。
【図面の簡単な説明】
【０００６】
【図１】  本考案の集音体の拡大平面図
【図２】  本考案の集音体の拡大正面図
【図３】  本考案の正面図
【図４】  本考案の使用説明図
【考案を実施するための最良の形態】
【０００７】  以下、本考案の実施形態について説明する。
図において、１は正面視略長方形で平面視略半円形の所定厚軟質合成樹脂による集音体である。この集音体の一方の長辺には略円弧形の切除部２が形成され、この切除部に保護体３が挿入固着される。この保護体は、軟質合成樹脂による所定長の管体であって、その側面に一方の管端から他方の管端に至る切り込みが設けられ、この切り込み個所に、前記切除部端が挿入して固着される。
４は調整バンドである。この調整バンドは、２本の装着部が互いにスライド可能に組み合わさって形成される市販品である。すなわち、この調整バンドは装着部５とスライド部６とから成り立っている。装着部は所定巾所定厚帯状のやや軟質合成樹脂であって下端近傍に湾曲部分を有し、その表面は平滑である。この装着部は正面視にて略円弧状であるが、その端部にはスライド部が一体に設けられている。このスライド部は小枠状部分であって、装着部が適度の摩擦を持って移動できるサイズである。これを２本組み合わせたのが調整バンドであって、互いにスライド可能である。前記の集音体の切除部上方には孔が穿設され、また装着部下端近傍にも同径の孔が穿設され、この孔を介してビス７とナット８にて装着部と集音体は固定される。この集音体は２個１組が用いられ、図３のように、調整バンド下端に集音体が各々固定される。この調整バンドは、弾力を有して、非使用時には図３のごとき形状を示し、使用時には使用者頭部サイズに適合して、適度の押圧力にてこの集音体は外耳後方頭部に装着される。【０００８】  本案の使用に際しては、調整バンドの長さを調整し、集音体の切除部を外耳後方の頭部にあてがう。調整バンドは頭部上部を介してその下部は適度の押圧にて互いに接近する方向に力が働く。従って集音体は外耳に近接して外耳後方にその湾曲した凹部を前方に向けてその位置が定まり、保持される。既述のように、この集音体は湾曲形状であるため、外からきた音を外耳方向に反射させる機能を有し、聴音に適した効果が発揮される。
なお、集音体の切除部は外耳後部のカーブに近似の形状のため、外耳に都合よく近接することができ、かつ、この切除部には既述のごとく保護体がクッション性を有して位置し、外耳を傷つけることなくソフトに接することができる。
以上、本案について説明したが、本案は電気的手段を要せず、手軽に扱えるところにその特徴を有するものである。従来は補聴器しかなく、増聴手段が限られていたが、本案にて新規なる聴力向上手段が得られるものとなったのである。なお、本例では平面視略半円形の集音体としたが、その上下も外耳を囲うように湾曲した集音体としてもよい。
また、ビスとナットを緩めて、調整バンドに対する集音体の取り付け角度を変えることができるので、使用者の好みや状況に対応することができる。
以上のごとく、本案によって新規かつ有用なる補聴具を得ることができる。
【符号の説明】
【０００９】  １  集音体
２  切除部
３  保護体
４  調整バンド
５  装着部
６  スライド部
７  ビス
８  ナット
【図１】
0003176915.tif 000003
【図２】
0003176915.tif 000004
【図３】
0003176915.tif 000005
【図４】
0003176915.tif 000006
(57)【要約】      （修正有）【課題】積雪や凍結した道路、ぬかるみの道路等で、杖が滑って転倒する事があります。この転倒を防ぐ為の、滑らない杖を提供する。【解決手段】杖の下端の、接地する底面に多数の方形小突起スパイクを有する、大型の方形ゴム突起ベース６を取り付け、杖の滑りを防ぐと共に、備えたアジャスターのピン軸７を支点に、杖を連結し、前後にスィングして杖の角度を変えられ、杖の歩行が楽になり、かつ滑りを気にせず安心して杖での外出が出来る、滑らない杖を提供する。【選択図】図１
0003176914.tif 000002
【実用新案登録請求の範囲】
【請求項１】
滑らない杖、において、伸縮可能な杖と方形のゴム突起ベースによってなる滑らない杖は、杖の下端に、大型の方形ゴム突起ベースを取り付け、その裏側の接地面には、方形の多数の小突起スパイクを備えた事による、強い制動力の保持と、普通の杖の底ゴムと比べ、接地面積がおよそ１０倍近く広い事によって、更に強い制動力を保持する事とを特徴とする、方形ゴム突起スパイクを備えた滑らない杖
【請求項２】
前記方形ゴム突起ベースの上側の表面には、左右、横方向に平行する多数の溝状のスリットを配し、杖が左右に横触れするのを抑制すると共に前後の首振りスィングがしやすくなり、該ゴムベースの中央に固着した筒状のアジャスターに、杖の下端が嵌ると共に、杖の下端とアジャスターを左右横方向に、水平に貫く支点軸ピンにより、僅かの力で前後へ杖の角度を変える首振りスィング機能を備えた、請求項１に記載の、滑らない杖。
【考案の詳細な説明】
【技術分野】
【０００１】足の弱い、高齢者などが使う杖、ステッキ
【背景技術】
【０００２】従来の杖では、雪路や凍結路で滑り、転倒する事故が少なくありません
【考案が解決しようとする課題】
【０００３】降雪の朝、出勤する人が滑って転倒するニユースを見ますが、健常者でも転倒するのですから、杖を使う足腰の弱い高齢者の多くは困っています。
雪路や凍結路でも滑らない様、杖の下端に自動車のスノータイヤの様な、滑りにくいゴム製の突起を杖に付け、滑りを防ぎ、外出の不安をなくする事
【課題を解決するための手段】
【０００４】杖の下端に、大型で多数の突起のあるゴムベースを取り付ける事で、滑りを防ぐ。但しこのままでは使いにくいので、歩行時に杖の角度が変えられる様工夫する。
【考案の効果】
【０００５】従来の杖は、雪路や凍結路で滑って転倒する危険性が有るが、本考案の、滑らない杖は、下端の接地する大型の方形ゴムベースの多数の方形突起が、スノータイヤの様に滑りを防ぐと共に、杖の取り付け部のアジャスターに備えた、支点軸ピンにより杖は前後に首振りスィングするので、楽に歩行できる。
更に手を離すと、杖は垂直に戻り、かつ、自立して倒れないので壁などに、立てかけなくても良く、場所も取らないし、操作不要で自立し便利です。
以上の様に、大型方形ゴムベースの多数の方形小突起スパイクにより、杖が滑る心配がなくなり、支点軸ピンにより、杖が前後に首振りスィングして歩きやすくなり、更に手を離すと杖は垂直に自立し倒れない。
【実施例】
【０００６】伸縮可能な二重筒構造の杖の下端に取り付けた、大型方形ノンスリップゴム突起ベースは、接地する裏面に方形の小突起のスパイク、図４―１０、を多数を配した事と、又普通の杖の接地面、図４―上と、滑らない杖の接地面、図４―下、とを比較すると、滑らない杖の方が、およそ１０倍近く接地面積が広い事とによる、強い制動力で杖の滑りを防ぐ。
又、この突起ベースの上部の表面には、溝スリットと、中央には、杖の下端が嵌る筒状のアジャスター、図５−１４を備え、溝スリットは左右横方向に平行する多数の溝によってなるスリット、図５−１２を配し、杖の左右横方向への振れを抑制すると共に、前後へ振れやすくしてあり、該ベース表面の中央部には、杖を取り付ける筒状アジャスター、図５−１４、を備え、杖の下端が嵌り、更にアジャスターと杖を貫く支点軸ピンを左右横方向、かつ、水平に配して連結し、前後への首振りスィングが僅かの力で可能となり、杖歩行が楽に出来、杖を離すと垂直にもどり、自立する。
【図面の簡単な説明】
【０００７】
【図１】滑らない杖の側面を示す  側面図
【図２】滑らない杖の前面を示す前面図
【図３】滑らない杖の全体を示す斜視図
【図４】普通の杖の接地面と滑らない杖の接地面を比較する底面図
【図５】方形ゴム突起ベースの表面の溝とアジャスターを示す平面図
【符号の説明】
【０００８】１，  杖のグリップ
２，  杖の外筒
３    杖の内筒
４，  高さ調整ガイドホール
５  、高さ固定ストッパー
６，  方形ゴム突起ベース
７，  支点軸ピン
８，  普通の杖の接地面の凸部
９，  普通の杖の接地面の凹部
１０，方形ゴム突起、接地面の方形小突起スパイク
１１，方形ゴム突起、接地面の凹部
１２，方形ゴム突起ベース、表面の溝スリット、
１３，方形ゴム突起ベース、表面
【図１】
0003176914.tif 000003
【図２】
0003176914.tif 000004
【図３】
0003176914.tif 000005
【図４】
0003176914.tif 000006
【図５】
0003176914.tif 000007
(57)【要約】      （修正有）【課題】クリアファイルの指掛け用を好みのキャラクター形とすることで指掛かりが良好で、クリアファイルの所有者を特定することができ、クリアファイルに愛着感を生じさせて長期使用を促進し、クリアファイルにさらなる発展性をもたらす新規の指掛け用切り欠きの形状を提供する。【解決手段】書類等を取り出し自在に挟み入れする表面１と背面２とからなるクリアファイル７の表面端に設ける指掛け用切り欠き８を動植物，乗物，文字，幾何学模様，ロゴマークおよび戯画を含む多くのキャラクター形状からひとつを選択してキャラクター形にて切り抜き形成する。【選択図】図１
0003177000.tif 000002
【実用新案登録請求の範囲】
【請求項１】
書類等を取り出し自在に挟み入れする表面と背面とからなるクリアファイルの表面端に設ける指掛け用切り欠きを動植物，乗物，文字，幾何学模様，ロゴマークおよび戯画を含む多くのキャラクター形状からひとつを選択してキャラクター形にて形成するようにしたことを特徴とするクリアファイルにおける指掛け用切り欠きの形状。
【請求項２】
クリアファイルの表面の切り欠きに相対するクリアファイルの背面の部分に背面印刷面を形成して表面印刷との間で複合印刷面を形成するようにした請求項１記載のクリアファイルにおける指掛け用切り欠きの形状。
【考案の詳細な説明】
【技術分野】
【０００１】
この考案はクリアファイルにおける掛け用切り欠きの形状に関するものある。
【背景技術】
【０００２】
この種のクリアファイルとしては特開２００５−１５３４８９号公報、同２００７−２８３６９４号公報のほか多数の公報が公開されている。そのいずれも表面端に図４に示すような半円形状をした指掛け用の切り欠きを記載している。
【特許文献１】特開２００５−１５３４８９公報
【特許文献２】特開２００７−２８３６９４公報
【考案の開示】
【考案が解決しようとする課題】
【０００３】
しかしながら、半円形状の切り欠きはすべりやすいために指掛かりが良好でなく、また所有者を特定するしるしにもならないという課題がある。
【課題を解決するための手段】
【０００４】
本考案は、書類等を取り出し自在に挟み入れするクリアファイルの表面端に指掛け用の切り欠きとして動植物，乗物，楽器，文字，ロゴマーク，幾何学模様および戯画等を含む多くのキャラクターからひとつを選択して切り抜き形成するようにして、かかる課題を解決する。
【考案の効果】
【０００５】
本考案は、指掛け用切り欠きを多くのキャラクターからひとつを選択して形成するので、クリアファイルの所有者を特定することができるという効果を生ずる。また企業のロゴマークを選択することで広告効果が得られるという効果を生ずる。
【０００６】
切り欠きが好みのキャラクター形状となることで、クリアファイルに愛着感が生じて長期使用を促進するという効果を生ずる。
【０００７】
切り欠きが凹凸の多いキャラクター形となることで、指掛かりが良好になるという効果を生ずる。
【０００８】
クリアファイルに、表面の切り欠きに相対する背面の部分に背面印刷面を形成することで、表面の印刷面との間で立体的な複合印刷面を形成することができるという効果を生ずる。
【図面の簡単な説明】
【０００９】
【図１】第１実施例であって、（ａ）キャラクター形状のひとつの指掛け用切り欠きを設けたを示す正面図、（ｂ）は同、文字（ロゴマーク）の切り欠き例を示す正面図
【図２】同、他の切り欠きの形状例を示す部分正面図
【図３】第２実施例であって、（ａ）は表面を半開きした状態にて示す斜視図、（ｂ）は同、接面閉じして複合印刷面が表れた状態を示す斜視図
【図４】従来例の正面図
【考案を実施するための形態】
【００１０】
本考案は、クリアファイルの表面端に動植物，乗物，楽器，文字，ロゴマークおよび戯画を含む多くのキャラクター形状から好みのひとつを選択して指掛け用の切り欠きを形成するのである。
【００１１】
また切り欠きに相対した背面の部分に背面印刷面を形成する。
背面印刷には本願の出願人が先に提案した登録実用新案第３１４６２１８号、同第３１６４６１５号、同第３１６４６１６号、同第３１６５４３９号、同第３１７１０２７号、、同第３１７２０３１号、同第３１７３３０６号等の背面印刷の技術を用いるのである。クリアファイルの表面の切り欠きに合わせて背面に背面印刷面を附すことで表面の切り欠き周辺の印刷面との間で複合印刷面を形成することができることとなる。
【実施例１】
【００１２】
図１乃至図２は本考案の第１実施例であって、合成樹脂の薄い硬直素材にて表面１と背面２を垂直縁３の折りと下縁４の溶着にてつながって、上縁５と外側の垂直縁６が接面開閉するクリアファイル７を形成する。
【００１３】
表面の垂直縁６に例えば図１（ａ）（ｂ）乃至図２（ａ）（ｂ）（ｃ）（ｄ）に数例を示すような動物，植物，戯画，文字，ロゴマークなどのほか，乗物，楽器，幾何学図形等あらゆるものから好みのキャラクターのひとつを選んでキャラクター形にて切り抜いて指掛け用の切り欠き８とするのである。
【００１４】
このようにしてクリアファイル７は指掛け用の切り欠き８が好みのキャラクター形状となることでクリアファイルに書類等の挟み入れて携帯するときは愛着感が生じて長期にわたって使用し続けるものとなり、また好みのキャラクターを選択することでクリアファイルの所有者などを特定することができて紛失しても帰ってくることが多くなることになる。さらにロゴマークの切り欠き８を選択することで広告効果が得られることとなる。
【００１５】
なお、キャラクター形状とすることで凹凸によって切り欠き８は指掛かりが良好となってクリアファイル７の開閉が容易になる。
【実施例２】
【００１６】
図３は第２実施例を示すもので、クリアファイルの表面に好みのキャラクター形状にて切り欠き８を形成した部分の背面２に背面印刷面９を形成して切り欠き８の周辺の表面印刷面１０との間で複合印刷面１１を形成するようにしたのである。その他の形状と作用は第１実施例と同じである。
【産業上の利用可能性】
【００１７】
本考案は、クリアファイルの切り欠きを多くのキャラクター形状から好みのひとつを選択して切り抜き形成することで広く利用されるものである。
【符号の説明】
【００１８】
１は表面
２は背面
３は垂直縁
４は下縁
５は上縁
６は外側（開閉側）の垂直縁
７はクリアファイル
８は切り欠き
９は背面印刷面
１０は表面印刷面
１１は表面と背面による複合印刷面
【図１】
0003177000.tif 000003
【図２】
0003177000.tif 000004
【図３】
0003177000.tif 000005
【図４】
0003177000.tif 000006
(57)【要約】      （修正有）【課題】耐摩耗性、耐食性、耐久性を向上させた、歩行性に優れたハイヒールを提供する。【解決手段】ハイヒール婦人靴の靴底踵部に補強部材として埋め込んだ棒状補強部材において、前記棒状補強部材４を炭素繊維で形成したことを特徴とし、さらに、棒状補強部材の形状を管状、柱状とする。【選択図】図３
0003176992.tif 000002
【実用新案登録請求の範囲】
【請求項１】
ハイヒール婦人靴の靴底踵部に取り付ける所定の高さに成形した樹脂製のハイヒールであって、その内部に棒状補強部材４を立設状態で埋め込んだハイヒールにおいて、
棒状補強部材４を炭素繊維で形成したことを特徴とするハイヒール。
【請求項２】
棒状補強部材４を管状に形成した請求項１に記載のハイヒール。
【請求項３】
棒状補強部材４を柱状に形成した請求項１に記載のハイヒール。
【考案の詳細な説明】
【技術分野】
【０００１】
この考案は、ミュール、パンプス、ブーツ等のハイヒール婦人靴の靴底踵部に取り付ける樹脂製のハイヒールに関するものである。
【背景技術】
【０００２】
一般に、ハイヒール婦人靴の靴底踵部に取り付けるハイヒールは、所定の高さに成形した樹脂製のものが用いられている。この樹脂製のハイヒールは、デザイン優先で細く華奢に成形されるので、歩行時に折れたりすることがないように、その内部に棒状補強部材が埋め込まれている。この棒状補強部材は、特許文献１に示すように、ハイヒール内に立設状態で埋め込まれ、素材としては、金属パイプ、一般には焼き入れ処理して硬度を増した鉄製パイプが用いられ、その表面にメッキを施して耐食性を向上させたものが汎用されている。
【先行技術文献】
【特許文献】
【０００３】
【特許文献１】実用新案登録第３１１６３９８号公報
【考案の概要】
【考案が解決しようとする課題】
【０００４】
ハイヒール内に埋め込む棒状補強部材として鉄製パイプを用いる場合、焼きが過ぎると靭性が低下して脆くなる等、特性管理が難しい欠点がある。また、メッキを施したとしても、摩耗等によりメッキの剥がれが生じると、雨中の歩行後や保管時の湿気等でサビが生じる等、耐食性、耐久性にも課題がある。
【０００５】
この考案は、こうした課題を解決することを目的とするもので。従来の鉄製パイプに代わって炭素繊維で形成した棒状補強部材を用いることで、鉄製パイプのデメリットを解消し、棒状補強部４を軽くて強く、耐摩耗性、耐食性、耐久性を向上させたものとし、歩行性に優れたハイヒールを提供することを目的とするものである。
【課題を解決するための手段】
【０００６】
上記の目的を達成するため、この考案は、ハイヒール婦人靴の靴底踵部に取り付ける所定の高さに成形した樹脂製のハイヒールであって、その内部に棒状補強部材４を立設状態で埋め込んだハイヒールにおいて、棒状補強部材４を炭素繊維で形成したことを特徴とするものである。
【０００７】
また、この考案のハイヒールにおいて、棒状補強部材４は、管状に形成したカーボンパイプを用いることができ、又は、柱状に形成したカーボンシャフトを用いることもできる。
【考案の効果】
【０００８】
この考案のハイヒールは、内部に埋め込む棒状補強部材４を従来の鉄製パイプに代わって炭素繊維で形成するもので、炭素繊維製の棒状補強部材４は、極めて軽量でありながら十分な強度を有し、耐摩耗性に優れるとともに、サビが生じることもない。したがって、従来の鉄製パイプのデメリットが解消され、これを埋め込んだハイヒールは、鉄製パイプに劣らぬ強度を有しながら軽量化され、耐久性の著しい向上を図ることができる。
【０００９】
また、炭素繊維で形成した棒状補強部材４は、歩行時の衝撃を吸収して脚への負担を軽減することができ、この考案のハイヒールは歩行性に優れる等、従来にない新規な機能を奏するものである。
【図面の簡単な説明】
【００１０】
【図１】この考案のハイヒールを用いたパンプスの正面図。
【図２】パンプスの右側面図。
【図３】この考案のハイヒールの断面図。
【図４】管状に形成した棒状補強部材の平面図。
【図５】柱状に形成した棒状補強部材の平面図。
【考案を実施するための形態】
【００１１】
以下にこの考案の実施形態について、図面を用いて具体的に説明する。
図面はこの考案の実施例で、図１及び図２に、この考案のハイヒール３を用いたハイヒール婦人靴として、甲皮１に紐や留め具が無い履き口の広いスリップオンタイプのパンプスの左足用を示す。図示のパンプスは、甲皮１の底部に中底を介して表底２が接合され、靴底踵部に所定の高さに成形した樹脂製のハイヒール３が取り付けられ、このハイヒール３には、図中の破線（隠れ線）で示すように、その内部に棒状補強部材４が埋め込まれている。ハイヒール３の底部には、ゴム材等の小片であるリフト５が接合され、摩耗したら取替修理可能とされている。
【００１２】
図３にハイヒール３の断面図を示す。図に示すように、棒状補強部材４は、ハイヒール３の底部から上面に近接した位置まで延びるように、ハイヒール３内に立設状態で埋め込まれている。
【００１３】
この考案は、棒状補強部材４を炭素繊維で形成したことを特徴とする。棒状補強部材４は、図４に示すように、管状に形成した棒状補強部材４ａ（カーボンパイプ）を用いることができ、又は、図５に示すように、柱状に形成した棒状補強部材４ｂ（カーボンシャフト）を用いることもできる。また、その外形形状も円（円筒、円柱）に限られず、角形（角筒、角柱）に形成してもよい。棒状補強部材４をハイヒール３内に埋め込む手段としては、成形後のハイヒール３に底部から長穴を形成し、これに棒状補強部材４を挿入して接合する他、ハイヒール３の成形時に棒状補強部材４を内蔵した状態で一体に成形することも可能である。
【符号の説明】
【００１４】
３  ハイヒール
４  棒状補強部材
【図１】
0003176992.tif 000003
【図２】
0003176992.tif 000004
【図３】
0003176992.tif 000005
【図４】
0003176992.tif 000006
【図５】
0003176992.tif 000007
(57)【要約】【課題】  草刈り機におけるコードカッターの取り付け、取り外しが容易に行え、かつ、固定取り付けが強固に安定して行えるようにする。【解決手段】  草刈り機におけるコードカッターの固定取り付け構造であり、取り付け具１の水平方向に連通するコードカッターの固定孔１３に、コードカッター２２がその両端を外方に突出する状態に挿入配置され、そのコードカッター１３の途中部が取り付け具１に垂直方向に螺入される固定ネジ２０の端部で押圧固定されて行われるもの。【選択図】図２
0003176939.tif 000002
【実用新案登録請求の範囲】
【請求項１】
草刈り機のコードカッターの固定取り付け構造であり、
取り付け具の水平方向に連通するコードカッターの固定孔に、コードカッターがその両端を外方に突出する状態に挿入配置され、前記コードカッターの途中部が前記取り付け具に垂直方向に螺入される固定ネジの端部で押圧固定されて行われるコードカッターの固定取り付け構造。
【請求項２】
前記固定孔がそれぞれの中央位置で互いに交差するように２本設けられ、前記固定孔それぞれに互いが交差するように２本のコードカッターが挿入配置され、前記２本のコードカッターが前記中央位置において前記固定ネジの端部で一体に押圧固定される請求項１記載のコードカッターの固定取り付け構造。
【考案の詳細な説明】
【技術分野】
【０００１】  この考案は、草刈り機におけるコードカッターの固定取り付け構造に関する。
【背景技術】
【０００２】  最近ナイロンコードよりなるカッターが草刈り機において使用されている。その際カッターは草刈り機の駆動部に連結使用される取り付け具に固定されて取り付けられるが、その取り付けは従来においてはナイロンコードの端部を取り付け具に係止固定して行っている。カッターは通常放射状に４本取り付けられて用いられ、使用に伴い古くなると取り換える必要がある。その際にはそれぞれを取り外し新たなもの取り付けることとなるが、その取り換え作業に非常に手間がかかった。また、使用時にはカッターそれぞれに大きな遠心力がかかるとともに、カッターに何らかのものが衝突する場合もあり、そのためにはカッターはきわめて強固に取り付けられなければならず、係止固定が安定して行われていないとカッターが離脱する恐れもあった。
【考案の概要】
【考案が解決しようとする課題】
【０００３】  この考案は上記の事情に鑑みて行ったもので、草刈り機におけるコードカッターの取り付け、取り外しが容易に行え、かつ、固定取り付けが強固に安定して行えるようにするものである。
【課題を解決するための手段】
【０００４】  この考案は、草刈り機のコードカッターの固定取り付け構造であり、取り付け具の水平方向に連通するコードカッターの固定孔に、コードカッターがその両端を外方に突出する状態に挿入配置され、前記コードカッターの途中部が前記取り付け具に垂直方向に螺入される固定ネジの端部で押圧固定されて行われるコードカッターの固定取り付け構造である。【０００５】  上記構成によれば、コードカッターをカッター固定孔に挿入して固定ネジを締め付けることでコードカッターの取り付けが容易に行える。途中部が押圧固定されることで作動時にはその両端部分に同様に負荷がかかり一方側に引っ張られることがないので、コードカッターは強固に固定される。固定ネジを緩めることでコードカッターがカッター固定孔から引き出し取り外せる。とくに、固定孔がそれぞれの中央位置で互いに交差するように２本設けられ、固定孔それぞれに互いが交差するように２本のコードカッターが挿入配置され、２本のコードカッターが中央位置において固定ネジの端部で一体に押圧固定される構成とされることで、ネジ１個の締め付けにより２本のコードカッターの取り付けが同時になされる。
【考案の効果】
【０００６】  この考案によれば、草刈り機におけるコードカッターの取り付け、取り外しが容易に行え、かつ、固定取り付けが強固に安定して行えるようになる。
【図面の簡単な説明】
【０００７】
【図１】  この考案のコードカッターの固定取り付け構造の実施形態の外観斜視図
【図２】  この考案のコードカッターの固定取り付け構造の実施形態の垂直方向断面図
【図３】  この考案のコードカッターの固定取り付け構造の実施形態の要部水平方向断面図
【考案を実施するための形態】
【０００８】  図１はこの考案のコードカッターの固定取り付け構造の実施形態の外観斜視図、図２は同垂直方向断面図である。１はコードカッターの取り付け具であり、その取り付け具に２本のナイロン製コードカッター２２が互いに交差する状態に取り付けられている。
【０００９】  取り付け具１は上部材２と下部材３とからなり、ともにアルミ合金よりなる。上部材２は筒形態で内周面にネジ５が形成されるとともに、上面部６には草刈り機の駆動部への連結孔７を備えている。下部材３は上面に、周面にネジ８が形成されるとともに中央に円柱状の凹所９が形成された突出部１０を備え、基部１１には、図３に示すように、コードカッターの固定孔１３が中央位置で互いに直交して交差するように２本設けられている。基部１１の上面部１２には、コードカッターの固定孔１３の互いに交差する位置と凹所９の下部を連通するようにネジ穴１５が設けられている。上部材１と下部材２とは互いのネジ５、８が螺合されて一体とされ、その際には前もってネジ穴１５に固定ネジ２０が仮装着される。固定ネジ２０としては６角レンチ対応のものを使用する。
【００１０】  次に、コードカッター２２の取り付け手順を説明する。カッター固定孔１３それぞれに、両端を外方に所定長さ突出する状態として２本のナイロン製のコードカッター２２を挿入配置する。その状態において六角レンチ２４を使用して固定ネジ２０をネジ込む。このネジ込みが強力に行われることで上下に重なり状態に位置するコードカッター２２それぞれの中央位置が一体に基部１１の下面部１４の内面に押し付けられ、これによりコードカッター２２それぞれの固定が強固に行われる。固定ネジ２０を緩めることでコードカッター２２がカッター固定孔１３から引き出し取り外せる。
【００１１】  上記のようにして、コードカッター２２をカッター固定孔１３に挿入して固定ネジ２０を締め付けるだけで容易、かつ、強固にコードカッター２２の取り付けが行え、また、固定ネジ２０を緩めるだけでコードカッター２２が取り外せる。とくに、ネジ１個の操作により２本のコードカッター２２の取り付け、取り外しが同時になされるので、きわめてその作業が容易なものとなる。
【符号の説明】
【００１２】１    取り付け具
１３  カッター固定孔
２０  固定ネジ
２２  コードカッター
【図１】
0003176939.tif 000003
【図２】
0003176939.tif 000004
【図３】
0003176939.tif 000005
(57)【要約】      （修正有）【課題】塵芥収集車の塵芥収容箱内火災検知装置の、埃や水蒸気による誤作動を、長時間、防止するための装置を提供する。【解決手段】塵芥収容箱２内部に散水ノズル５より散水した水を、吸水注水ポンプ９により、回収し、循環利用することにより、埃や水蒸気の浮遊時間を低減し、塵芥収容箱内火災検知装置の誤作動を長時間、防止する。吸水注水ポンブ９などの散水装置を塵芥収容箱２の天井部外側に装備したが、塵芥収容箱２の下部など、他の場所でもよい。また、吸水注水ポンプ９と散水装置の水タンク８とを注水ホース１２でつないだが、注水ホース１２を水タンク８ではなく、散水ホース６に直接つないでもよい。【選択図】図１
0003176925.tif 000002
【実用新案登録請求の範囲】
【請求項１】
塵芥収集車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥収集車で、前記塵芥収集車の塵芥収容箱天井部外側に、前記塵芥収容箱内部に散水するための散水ノズルを備えた散水装置を取付け、前記塵芥収集車の運転席に該散水装置の作動装置を装着している場合において、前記塵芥収容箱内部に散水した水を循環利用するために、前記塵芥収容箱天井部外側に吸水注水ポンプを取付け、該吸水注水ポンプにより、吸水ホースを介して吸水し、さらに、該吸水注水ポンプにより、注水ホースを介して、前記散水装置の水タンクに注水する循環散水装置を設置したことを特徴とする塵芥収容箱内火災検知装置の誤作動防止装置。
【考案の詳細な説明】
【技術分野】
【０００１】  本考案は、塵芥収集車の塵芥収容箱内において火災が発生した場合に、早期に検知してこれを運転席に知らせる検知装置が、埃や水蒸気などにより誤作動することを防止するための装置に関する。
【背景技術】
【０００２】  従来の塵芥収集車の塵芥収容箱内火災検知装置の誤作動防止装置には、埃や水蒸気による誤作動を防止するために、塵芥収集車の塵芥収容箱天井部外側に、該塵芥収容箱内部に散水するための散水ノズルを備えた散水装置を取付け、前記塵芥収集車の運転席に該散水装置の作動装置を装着したものがある。
【考案の概要】
【考案が解決しようとする課題】
【０００３】  しかしながら、前記先行技術では、水タンクの残量がなくなれば、散水できなくなり、埃や水蒸気による誤作動を長時間、防止することができない。【０００４】  以上のことから、本考案は、塵芥収集車の塵芥収容箱内火災検知装置の誤作動を長時間、防止するための装置を提供することを目的とする。
【課題を解決するための手段】
【０００５】  以上の課題を解決するために、本考案は、塵芥収集車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥収集車で、前記塵芥収集車の塵芥収容箱天井部外側に、塵芥収容箱内部に散水するための散水ノズルを備えた散水装置を取付け、前記塵芥収集車の運転席に該散水装置の作動装置を装着している場合において、前記塵芥収容箱内部に散水した水を循環利用するために、前記塵芥収容箱天井部外側に吸水注水ポンプを取付け、該吸水注水ポンプにより、吸水口から吸水ホースを通して吸水し、さらに、該吸水注水ポンプにより、注水ホースを通して、前記散水装置の水タンクに注水する循環散水装置を設置した塵芥収容箱内火災検知装置の誤作動防止装置である。
【考案の効果】
【０００６】  本考案によれば、埃や水蒸気により、長時間、塵芥収容箱内火災検知装置に誤作動が生じた場合や、誤作動が生じる恐れがある場合に、前記循環散水装置を作動させれば、長時間、誤作動を防止することができる。
【図面の簡単な説明】
【０００７】
【図１】本考案の一実施形態を示す塵芥収集車の概略側面図である。
【考案を実施するための形態】
【０００８】  本考案に係る一実施形態を、図１を参照して以下説明する。
【実施例】  塵芥収集車１の塵芥収容箱２天井部外側に、塵芥収容箱２内部に散水するための散水ノズル５と、該散水ノズル５と散水ポンプ７と水タンク８をつなぐ散水ホース６とから構成される散水装置を装備した。さらに、塵芥収集車の運転席１ａに散水装置の作動装置４を装着した。また、塵芥収容箱２天井部外側に吸水注水ポンプ９を取付け、該吸水注水ポンプ９と、塵芥投入箱３の底部側面にある吸水口１１とを吸水ホース１０でつないだ。さらに、該吸水注水ポンプ９と、前記散水装置の水タンク８とを注水ホース１２でつないだ。【０００９】  本実施例によれば、塵芥収容箱２内部に散水ノズル５より散水した水を、吸水注水ポンプ９により、回収し、循環利用することにより、埃や水蒸気の浮遊時間を低減し、塵芥収容箱内火災検知装置の誤作動を長時間、防止できるようになった。本実施例では、吸水注水ポンブ９などの散水装置を塵芥収容箱２の天井部外側に装備したが、塵芥収容箱２の下部など、他の場所でもよい。また、本実施例では、吸水注水ポンプ９と散水装置の水タンク８とを注水ホース１２でつないだが、注水ホース１２を水タンク８ではなく、散水ホース６に直接つないでもよい。
【符号の説明】
【００１０】  １  塵芥収集車
１ａ塵芥収集車の運転席
２  塵芥収容箱
３  塵芥投入箱
４  散水装置の作動装置
５  散水ノズル
６  散水ホース
７  散水ポンプ
８  水タンク
９  吸水注水ポンプ
１０  吸水ホース
１１  吸水口
１２  注水ホース
【図１】
0003176925.tif 000003
(57)【要約】      （修正有）【課題】昼夜を問わず自分の存在を周囲の人に知らせる、自転車のブレーキライト及びフロントライト点滅装置を提供する。【解決手段】自転車の走行中に後輪ブレーキレバー１を握ることにより、リミットスイッチ６がスプリング８を介して作動し、ブレーキライトが点灯する。この時ブレーキライトが点滅しているかの確認表示灯１０も点灯する。夜間等にマイクロスイッチ７を手動で作動させることにより、フロントライトとブレーキライトのＬＥＤランプの一部が常時点灯する。この時、ブレーキを掛けると、ブレーキライトの残りのＬＥＤランプも加わり、全てが点灯する。これ等の電源には乾電池を使用しているため昼、夜、走行、停止に関係なく操作が出来る装置である。【選択図】図２
0003176926.tif 000002
【実用新案登録請求の範囲】
【請求項１】
自転車のハンドルに取り付けるスイッチボックスの中にあるリミットスイッチのレバーに一端が固定され他端が後輪のブレーキレバーに固定されるスプリングを備え、該ブレーキレバーの操作により、ハンドルポストに設ける電源ボックス内に収納する乾電池に接続する前記リミットスイッチの開閉により作動する複数のブレーキライトと、前記乾電池に接続する手動用マイクロスイッチの開閉により作動するフロントライト及び前記ブレーキライトの一部が作動するように構成するスイッチボックス内の回路によりＬＥＤランプが点灯する自転車のブレーキライト及びフロントライトの点滅装置。
【考案の詳細な説明】
【技術分野】
【０００１】  本考案は自転車のブレーキライト及びフロントライトの点滅装置に関する。
【背景技術】
【０００２】  近年の自転車用警報装置として次のような提案がされている。
尾灯へ電気を供給する手段としてブレーキワイヤーを介して揺動部材が揺動し、ブレーキ作動検知スイッチを作動させている。
このブレーキ作動スイッチの取り付け位置が自転車の後輪ブレーキドラムのそばに取り付けてあるものが知られている。
【先行技術文献】
【特許文献】
【０００３】
【特許文献１】  特開第２０１１−３７３１１号公報
【考案の概要】
【考案の解決しようとする課題】
【０００４】  前記、背景技術にしめした公知の点滅装置では、雨水、泥水を非常に被りやすい欠点があり、故障率が高い問題を含んでいる。したがって、この問題を解決する点滅装置を提供することが課題である。
【課題を解決するための手段】
【０００５】  自転車のハンドルに取り付けるスイッチボックスの中にある、リミットスイッチのレバーに一端が固定され、他端が後輪のブレーキレバーに固定されるスプリングを備え、該ブレーキレバーの操作により、ハンドルポストに設ける電源ボックス内に収納する乾電池に接続する。
前記リミットスイッチの開閉により作動する複数のブレーキライトと、前記乾電池に接続する手動用マイクロスイッチの開閉により作動するフロントライト及び前記ブレーキライトの一部が作動するように構成するスイッチボックス内の回路によりＬＥＤランプが点灯する自転車のブレーキライト及びフロントライトの点滅装置として課題を解決している。
【考案の効果】
【０００６】  本考案の自転車ブレーキライト及びフロントライト装置は、構造が簡単で費用も安く既存の自転車にも容易に取り付けられる。
又、雨水、泥水等の影響も受けにくいため故障率が非常に低い。
【図面の簡単な説明】
【０００７】
【図１】  本考案の実施形態である自転車ブレーキライト及びフロントライト装置を施す自転車の側面図である。
【図２】  図１のハンドル部分に施すスイッチボックスと電源ボックス及び後輪ブレーキレバーの配置と拡大図である。
【図３】  ブレーキライトＬＥＤランプの個数と配置図で、この形態は一例である。
【図４】  本考案の制御装置の電気回路図である。
【実施例】
【０００８】  以下添付図面に従って本考案の実施形態について説明する。【０００９】  図１は自転車全体の側面図でありハンドル２１にスイッチボックス２を、ハンドルポスト２０に電源ボックス３を取り付ける後輪泥よけカバー２２にブレーキライト５と５’を付け、前輪フレーム２３にフロントライト４を取り付けてある。
尚、各部に電気を供給するためにケーブル１１で配線をしている。【００１０】  図２はハンドル２１にスイッチボックス２を、ハンドルポスト２０に電源ボックス３を取り付付けた部分と、後輪ブレーキレバー１の拡大図である。
スイッチボックス２の中にあるリミットスイッチ６のレバー６’に、スプリング８の一端を固定し、反対側の一端をブレーキレバー１の根元部分９の位置に固定する。
これによりブレーキレバー１を握ることによりブレーキライト５及び５’が点灯する。
夜等にスイッチボックス２の中にあるマイクロスイッチ７を手動で作動させる事によりフロントライト４及びブレーキライト５’が点灯する。
これは自転車の走行、停止に拘らず常時点灯している。
前記マイクロスイッチ７の作動中にブレーキを掛けると、ブレーキライト５も点灯する。
又、電源ボックス３に付けてある表示ランプ１０はブレーキライトの点滅を確認する表示灯である。
そこで電源ボックス３からスイッチボックス２へ、フロントライト４へ、ブレーキライト５及び５’へと配線ケーブル１１で各部分へ電気を供給する。
尚、スプリング８は太さ０．４ｍｍ、直径６．０ｍｍ、巻数４０回前後が望ましい。
又、スプリングの一部８’の部分を０．８ｍｍのピアノ線にする、これ等が本考案の特徴である。【００１１】  図３は後輪泥よけカバー２２に取り付けたブレーキライト５及び５’で、ＬＥＤランプ１２〜１８の７個を備えている。
マイクロスイッチ７を手動で作動させたときＬＥＤランプ５’の１３、１５、１７の３個が点灯する、このマイクロスイッチ作動中ブレーキレバー１を握るとＬＥＤランプ５の１２、１４、１６、１８の４個も点灯しＬＥＤランプ１２〜１８全ての７個が点灯する。【００１２】  図４は本考案の電気配線系統図で、リミットスイッチ６を入れる事によりブレーキライト５及び５’が点灯する。
マイクロスイッチ７を入れるとフロントライト４とブレーキライト５’が点灯する。
又、ブレーキライト５及び５’の点滅を確認するための表示灯１０で、この装置の電源は乾電池１９を備え、これ等全てで構成されている。
【符号の説明】
【００１３】  １  ‥‥‥‥後輪ブレーキ
２  ‥‥‥‥スイッチボックス
３  ‥‥‥‥電源ボックス
４  ‥‥‥‥フロントライト
５  ‥‥‥‥ブレーキライト
５’‥‥‥‥ブレーキライト
６  ‥‥‥‥リミットスイッチ
６’‥‥‥‥リミットスイッチレバー（スプリングの一端を固定している部分）
７  ‥‥‥‥マイクロスイッチ
８  ‥‥‥‥スプリング
８’‥‥‥‥ピアノ線
９  ‥‥‥‥スプリングの一端をブレーキレバーに固定している部分
１０  ‥‥‥‥ブレーキライトの点滅を確認する表示灯
１１  ‥‥‥‥電気配線ケーブル（０．８ｍｍ  ４芯）
１２〜１８‥‥ブレーキライトＬＥＤの個数と配置
１９  ‥‥‥‥電源である乾電池
２０  ‥‥‥‥ハンドルポスト
２１  ‥‥‥‥ハンドル
２２  ‥‥‥‥後輪泥よけカバー
２３  ‥‥‥‥前輪フレーム
【図１】
0003176926.tif 000003
【図２】
0003176926.tif 000004
【図３】
0003176926.tif 000005
【図４】
0003176926.tif 000006
(57)【要約】【課題】  本考案は片手で、二本の細い金属の棒を前後左右に、又ねじり回して土を耕すねじり回し棒中耕し具において、製造が容易で、便利な耕し方の出来る、ねじり回し棒中耕し具を提供するものである。【解決手段】鉄又はステンレスなどの金属の細い棒をコの字に形成し、向き合う二本の長い棒１を立て、それらの先端部は内側に向けて折り曲げ、さらにそれら曲げた先端部分は薄いカマの刃４のようにならせ、握り部分にはグリップを５設ける。【選択図】図３
0003176924.tif 000002
【実用新案登録請求の範囲】
【請求項１】
鉄又はステンレスからなる細い棒をコの字型に形成し、向き合う二本の棒を長めにして足のように立て、その二本の棒をつなぐ棒部分は短めにし、にぎり部分とするねじり回し棒中耕し具において、前記向き合う長めの二本の棒の先端はそれぞれ内側向かって折れ曲がり、それらの先は向き合うが、次に、それら先端部分は薄いカマの刃ののような形にならせ、握り部分には樹脂などのグリップを設けたねじり回し棒中耕し具。
【考案の詳細な説明】
【技術分野】
【０００１】本考案は、鉄又はステンレスおよび樹脂から成るねじり回し棒中耕し具に関する
【背景技術】
【０００２】作物を栽培中の土壌が降雨や水やりによって硬くなり、空気や水の通りが悪くなると、クマ手、へら、スコップなどで株の周りの土を中耕しすることが知られている。
【考案の開示】
【考案が解決しようとする課題】
【０００３】  しかしながら、菜園の中でヘラやクマ手等を使用して、成育中の株の周りの中耕しを行う時、株間の狭いスペースで屈みこんでの作業になるので、背後や横の株を踏みつけたりして傷つけることが度々あり、ベランダ菜園の場合でも鉢やプランターが深いと、たとえ柄の長いスコップが鉢の底まで届いたとしても掘り起こすことはかなり困難であり、逆に勢い余って土を鉢の外に撥ね飛ばしてベランダを汚してしまうなどの欠点があった。
【課題を解決するための手段】
【０００４】  本考案は、鉄又はステンレス等からなる細い棒をコの字型に形成し、向き合う二本の棒を長めにして足のように立て、その二本の棒をつなぐ棒部分は短めにし、握り部分とするねじり回し棒中耕し具において、前記向き合う長めの二本の棒の先端はそれぞれ内側に向かって折れ曲り、それらの先は互いに向き合うが、次にそれら先端部分は薄いカマの刃のような形にならせ、握り部分には樹脂などのグリップを設けることにより片手で、二本の棒を土の中で、ねじり回す、あるいは、前後左右に倒すなどが可能となり、加工が容易で、便利な耕し方の出来る中耕し具が実現し、これにより上記課題を解決するものである。【０００５】  図１に示すように、鉄またはステンレス等からなる細い棒をコの字型に形成し、向き合う二本の長い棒１を足のように立て、その長い棒の先端はそれぞれ内側に向かって折れ曲がり２その二本の長い棒をつなぐ短い棒部分３を握り部とする。【０００６】  図２に示すように、内側に向いて折れ曲がった二本の棒の先端部分は、カマの刃４のように縦に薄くする。【０００７】  図３に示すように握り部分にはグリップ５を設ける。【０００８】  上記工程により完成した考案の中耕し具は、地面や土に、二本の細い金属の棒を差し込んで土を耕すものであるが、握り部を持って、二本の棒を片手で動かすので力を入れ易く、握り部を持って前後左右に倒す、あるいは円を描く、さらに二本の棒をねじり回して引き揚げる時、先端のカマ状の刃も協同して土を耕す。これにより狭い株間で立ったまま、あるいは深いプランターの中耕しも楽に行える。【０００９】  本考案に係るねじり回し棒中耕し具は、金属の細い棒をコの字に形成して、二本の棒で土を耕すものであるので、容易に製造することができ、実用性にも優れたものである。
【図面の簡単な説明】
【００１０】
【図１】  本考案に係るねじり回し棒中耕し具における工程図である
【図２】  本考案に係るねじり回し棒中耕し具における棒先端のカマ状の刃である
【図３】  本考案に係るねじり回し棒中耕し具における握り部のグリップである
【符号の説明】
【００１１】  １・・・コの字型の向き合う二本の長い棒
２・・・二本の長い棒の折れ曲がった先端部分
３・・・二本の長い棒をつなぐ短い棒握り部分
４・・・二本の棒の先端のカマ状の刃
５・・・握り部分のグリップ
【図１】
0003176924.tif 000003
【図２】
0003176924.tif 000004
【図３】
0003176924.tif 000005
(57)【要約】      （修正有）【課題】手穴と管尻との間に低音域音量増幅穴を配設することにより、すべての音域においてバランスの良い音を発し得る笛を提供する。【解決手段】笛は篠笛（七孔）であって、手穴８の１孔１、２孔２、３孔３、４孔４、５孔５、６孔６、７孔７と歌口９を配設し、１孔１と管尻１１との間に低音域音量増幅穴１０を１個配設している。低音域音量増幅穴は、手穴８の１孔１と管尻１１の間であれば、笛の周囲のどこにでも配設できるが、１孔と管尻の間の中心部分よりも管尻寄りに配設するのが好ましい。低音域音量増幅穴の数は、笛の製作上１個が好ましいが、複数個であってもよい。【選択図】図１
0003176958.tif 000002
【実用新案登録請求の範囲】
【請求項１】
手穴と管尻との間に低音域音量増幅穴を配設したことを特徴とする笛。
【請求項２】
横笛又は縦笛である請求項１に記載の笛。
【請求項３】
材料が竹、プラスチック、木、金属、ガラス又は陶器である請求項１又は２に記載の笛。
【考案の詳細な説明】
【技術分野】
【０００１】
本考案は、低音域の音量が増幅された笛に関する。
【背景技術】
【０００２】
従来の笛は、歌口と手穴だけで作られている（例えば、特許文献１参照）。
【０００３】
図２に示す従来の篠笛を例にして、そのつくりを説明する。図２において、９は息を入れる歌口のための穴であり、８（１）、８（２）、８（３）、８（４）、８（５）、８（６）及び８（７）は音階を作るための手穴と呼ばれる穴である。
【先行技術文献】
【特許文献】
【０００４】
【特許文献１】特開２００６−１１９５１１号公報
【考案の概要】
【考案が解決しようとする課題】
【０００５】
従来の笛の作りでは、高音域に比べて低音域の音量が極端に弱く、高音域と低音域の音のバランスが悪いという欠点がある。
【０００６】
本考案は、従来の笛が有している課題を解決するものであり、すべての音域においてバランスの良い音を発し得る笛を提供することを目的とする。
【課題を解決するための手段】
【０００７】
本考案は、手穴と管尻との間に低音域音量増幅穴を配設したことを特徴とする笛であり、かかる笛を提供することにより上記目的を達成し得る。
【０００８】
本明細書において低音域音量増幅穴とは、単なる穴であり、笛の手穴と管尻との間に配設することによって、結果として低音域の音量が増幅し、低音域の音が強くなる作用を有する穴を意味する。
【０００９】
本考案による作用は、低音域の音量が増幅し、低音域の音が強く出るようになることにある。これにより、低音域と高音域との音のバランスを整えることが可能になる。
【考案の効果】
【００１０】
本考案の笛によれば、すべての音域において、バランスの良い音を発することができる。
【図面の簡単な説明】
【００１１】
【図１】本考案の一実施形態を示す篠笛（七孔の例）の平面図である。
【図２】従来の篠笛（七孔の例）を示した平面図である。
【考案を実施するための形態】
【００１２】
以下、本考案の一実施形態を図面に基づいて説明する。図１は、本考案の実施の一形態を示す。この笛は篠笛（七孔）であって、手穴（８）の１孔（１）、２孔（２）、３孔（３）、４孔（４）、５孔（５）、６孔（６）、７孔（７）と歌口（９）を配設し、１孔（１）と管尻（１１）との間に低音域音量増幅穴（１０）を１個配設している。
【００１３】
低音域音量増幅穴は、手穴（８）の１孔（１）と管尻（１１）の間であれば、笛の周囲のどこにでも配設できるが、１孔と管尻の間の中心部分よりも管尻寄りに配設するのが好ましい。低音域音量増幅穴の数は、笛の製作上１個が好ましいが、複数個であってもよい。
【００１４】
低音域音量増幅穴の形状は、円状に限らず、楕円状、三角状、四角状などであってもよく、その大きさは、手穴の大きさと同等か若しくは小さ目が好ましい。
【００１５】
本考案の笛として、篠笛などの横笛又は縦笛が例示される。篠笛以外の横笛や縦笛については、図示を省略するが、図１で示す篠笛（七孔）のように、手穴と管尻との間に低音域音量増幅穴が１個以上配設される。
【００１６】
本考案の笛の材料としては、竹、木、プラスチック、金属、ガラス、陶器など笛材質として使用できるものであれば特に限定されない。
【００１７】
本考案においては、低音域音量増幅穴を配設することにより、低音域の音量を増幅させることができ、低音域の音が強くなり、高音域とのバランスが良くなって、和音楽から洋音楽まで、すべての楽曲の演奏に対応することができる。
【産業上の利用可能性】
【００１８】
本考案の笛は、和音楽から洋音楽まで、すべての楽曲の演奏に対応することができる。
【符号の説明】
【００１９】
１    １孔
２    ２孔
３    ３孔
４    ４孔
５    ５孔
６    ６孔
７    ７孔
８    手穴
９    歌口
１０    低音域音量増幅穴
１１    管尻
【図１】
0003176958.tif 000003
【図２】
0003176958.tif 000004